【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
複数の図柄を変動表示する図柄変動装置と、
上記図柄変動装置における図柄の変動表示を制御する変動制御手段と、
前記複数の図柄を複数組に分割したうちの各組に対応する複数の始動口とを有し、
前記変動制御手段は、一の始動口への入賞により、図柄変動装置において当該始動口に対応する組の図柄のみを変動表示させるように形成されていることを特徴とする弾球遊技機。
【請求項２】
前記図柄変動装置の表示する各図柄の組の組合せが所定の組合せである場合に、遊技者に対して利益状態が提供されることを特徴とする請求項１記載の弾球遊技機。
【請求項３】
前記弾球遊技機の盤面には、
遊技球を貯留可能な貯留口を有する回転可能な第一回転体と、
前記第一回転体の下方に位置し、遊技球を貯留可能な貯留口を有する回転可能な第二回転体と、
前記第一回転体の直上に設けられた前記始動口である第一始動口と、
前記第二回転体の直上に設けられた前記始動口である第二始動口と、
前記第一回転体及び第二回転体の各々から遊技球が落下可能なＶゾーンとを備え、
前記第一始動口及び前記第二始動口のいずれかへの入賞に基づいた変動の結果、各図柄の組の組合せが所定の組合せである場合には、前記第一回転体及び前記第二回転体のいずれかの貯留口に保持していた遊技球を前記Ｖゾーンへ落下させることを特徴とする請求項２記載の弾球遊技機。
【請求項４】
前記第一始動口へ入賞したことに基づき、前記図柄変動装置において当該第一始動口に対応する組の図柄の変動の結果、前記第一回転体は、各図柄の組の組合せが所定の組合せである場合には前記Ｖゾーンへ保持していた遊技球を落下させる一方、各図柄の組の組合せが所定の組合せでない場合には前記第二始動入賞口へ保持していた遊技球を落下させ、
前記第二始動口へ入賞したことに基づき、前記図柄変動装置において当該第二始動口に対応する組の図柄の変動の結果、前記第二回転体は、各図柄の組の組合せが所定の組合せである場合には前記Ｖゾーンへ保持していた遊技球を落下させる一方、各図柄の組の組合せが所定の組合せでない場合にははずれゾーンへ保持していた遊技球を落下させることを特徴とする請求項３記載の弾球遊技機。
【手続補正２】
【補正対象書類名】明細書
【補正対象項目名】０００４
【補正方法】変更
【補正の内容】
【０００４】
（第１の発明）
上記の課題に鑑み、本発明のうち第１の発明に係る弾球遊技機10は、複数の図柄を変動表示する図柄変動装置70と、上記図柄変動装置70における図柄の変動表示を制御する変動制御手段16と、前記複数の図柄の各々に対応する複数の始動口40とを有し、前記変動制御手段16は、一の始動口40への入賞により、図柄変動装置70において当該始動口40に対応する図柄のみを変動表示させるように形成されていることを特徴とする。
「図柄変動装置」とは、複数の図柄を変動表示させる装置をいう。また、「変動表示」とは、複数種類の図柄のうち一の図柄から他の図柄へと表示を変化させ、そのうちの一の図柄で停止させて表示することをいう。
【手続補正３】
【補正対象書類名】明細書
【補正対象項目名】０００６
【補正方法】変更
【補正の内容】
【０００６】
本第１の発明に係る弾球遊技機10では、遊技は以下のように行われる。なお、例として、図柄変動装置70は２桁の図柄を表示するものとする。そして、図柄の各桁に対応する始動口40が２個、盤面に設けられているものとする。
遊技者が弾球した遊技球が盤面を落下し、始動口40のうちの一に入賞すると、変動制御手段16は、当該始動口40に対応する桁の図柄を、図柄変動装置70において変動表示させる。そして、他の桁の図柄は、当該桁に対応する始動口40への入球がない限り変動することはない。
そして、各桁が各々特定の図柄（たとえば、「７」）を表示することで、その桁に対応する特定の入賞口が開口するように、各桁ごとに利益状態を設定することができる。この場合は、一の始動口40への入賞が、各利益状態の発生の条件となる。
【手続補正４】
【補正対象書類名】明細書
【補正対象項目名】０００７
【補正方法】変更
【補正の内容】
【０００７】
また、各桁が全て特定の図柄（たとえば、「７」）を表示した場合にのみ、特定の入賞口が開口するような利益状態を設定することができる。この場合は、全ての始動口40へ入賞することが利益状態発生の条件となる。
すなわち、本発明によって、表示する図柄とそれに対して割り当てられる利益状態の設定の自由度を増すことが可能となり、変化に富む遊技性を提供することが可能となる。
（第２の発明）
また、本発明のうち第２の発明は、第１の発明の特徴に加え、前記図柄変動装置70の表示する各図柄の組合せが所定の組合せである場合に、遊技者に対して利益状態が提供されることを特徴とする。
【手続補正５】
【補正対象書類名】明細書
【補正対象項目名】０００９
【補正方法】変更
【補正の内容】
【０００９】
（第３の発明）
更に、本発明のうち第３の発明に係る弾球遊技機10は、複数の図柄を変動表示する図柄変動装置70と、上記図柄変動装置70における図柄の変動表示を制御する変動制御手段16と、前記複数の図柄を複数組に分割したうちの各組に対応する複数の始動口40とを有し、前記変動制御手段16は、一の始動口40への入賞により、図柄変動装置70において当該始動口40に対応する組の図柄のみを変動表示させるように形成されていることを特徴とする。
「図柄変動装置」とは、複数の図柄を変動表示させる装置をいう。また、「変動表示」とは、複数種類の図柄のうち一の図柄から他の図柄へと表示を変化させ、そのうちの一の図柄で停止させて表示することをいう。更に、この図柄変動装置70においては、複数の図柄が、当該図柄の個数より少ない数の組に編成されている。この組に含まれる図柄は単数であっても複数であってもよい。たとえば、図柄変動装置70が表示する図柄の数が４個である場合に、２個の図柄から成る組が２個というように編成される。そして、図柄の変動はこの１組を単位として行われる。
【手続補正６】
【補正対象書類名】明細書
【補正対象項目名】００１１
【補正方法】変更
【補正の内容】
【００１１】
本第３の発明に係る弾球遊技機10では、遊技は以下のように行われる。なお、例として、図柄変動装置70は４桁の図柄を表示し、そのうちの上位２桁と下位２桁とがそれぞれ組となっているものとする。そして、図柄の各組に対応する始動口40が２個、盤面に設けられているものとする。
遊技者が弾球した遊技球が盤面を落下し、始動口40のうちの一に入賞すると、変動制御手段16は、当該始動口40に対応する組の図柄を、図柄変動装置70において変動表示させる。そして、他の組の図柄は、当該組に対応する始動口40への入球がない限り変動することはない。
【手続補正７】
【補正対象書類名】明細書
【補正対象項目名】００１３
【補正方法】変更
【補正の内容】
【００１３】
（第４の発明）
また、本発明のうち第４の発明は、第３の発明の特徴に加え、前記図柄変動装置70の表示する各図柄の組の組合せが所定の組合せである場合に、遊技者に対して利益状態が提供されることを特徴とする。
すなわち、図柄変動装置70の各々の図柄の組は、それぞれ別個の始動口40への入賞により変動表示されるものであるが、これらの図柄の組の組合せが所定の組合せである場合に、遊技者に利益状態が提供されるものである。ここで、利益状態とは、遊技の進行上、遊技者に対して有利な状態をいう。この利益状態としては、たとえば、図柄変動装置70が４桁の図柄を表示し、かつ、左２桁及び右２桁がそれぞれ組となっている場合、これらの図柄の組の組合せが「７７７７」であったときに大入賞口が開口して、そこへの入賞が容易となるようなことが挙げられる。